(57)【要約】【課題】表示手段の照明と配色の切替えをより好適に制御することを目的とする。【解決手段】電子機器は、表示手段が表示対象を第２の色で表示し、表示対象の背景を第１の色で表示した第１の配色状態で、かつ、照明手段が消灯している状態において、操作手段が操作されたことに応じて、前記表示手段における配色状態を変更することなく前記照明手段を点灯させ、その後、前記操作手段への操作が所定時間継続したことに応じて、前記照明手段の点灯を維持したまま、前記表示対象を前記第１の色で表示し、前記表示対象の背景を前記第２の色で表示した第２の配色状態に変更するように制御する。【選択図】図４
2019124805.tif 000002
【特許請求の範囲】
【請求項１】
表示対象を第１の色と、第１の色よりも明るい第２の色の何れかで表示する表示手段と、
前記表示手段を照明する照明手段と、
前記照明手段の点灯を指示する操作手段と、
前記表示手段が表示対象を前記第２の色で表示し、前記表示対象の背景を前記第１の色で表示した第１の配色状態で、かつ、前記照明手段が消灯している状態において、前記操作手段が操作されたことに応じて、前記表示手段における配色状態を変更することなく前記照明手段を点灯させ、その後、前記操作手段への操作が所定時間継続したことに応じて、前記照明手段の点灯を維持したまま、前記表示対象を前記第１の色で表示し、前記表示対象の背景を前記第２の色で表示した第２の配色状態に変更するように制御する制御手段と、
を有することを特徴とする電子機器。
【請求項２】
表示対象を第１の色と、第１の色よりも明るい第２の色の何れかで表示する表示手段と、
前記表示手段を照明する照明手段と、
前記照明手段の点灯を指示する操作手段と、
前記表示手段が表示対象を前記第２の色で表示し、前記表示対象の背景を前記第１の色で表示した第１の配色状態で、かつ、前記照明手段が消灯している状態において、前記操作手段が操作されたことに応じて、前記表示手段における配色状態を変更することなく前記照明手段を点灯させ、その後、再び前記操作手段が操作されたことに応じて、前記照明手段の点灯を維持したまま、前記表示対象を前記第１の色で表示し、前記表示対象の背景を前記第２の色で表示した第２の配色状態に変更するように制御する制御手段と、
を有することを特徴とする電子機器。
【請求項３】
前記制御手段は、
前記第１の配色状態で、かつ、前記照明手段が点灯している状態において、前記操作手段が操作されたことに応じて、前記表示手段における配色状態を変更することなく前記照明手段を消灯させるように制御し、
前記第１の配色状態で、かつ、前記照明手段が点灯している状態において、前記操作手段への操作が所定時間継続したことに応じて、前記照明手段の点灯を維持したまま、前記表示手段における配色状態を前記第２の配色状態に変更するように制御することを特徴とする請求項１に記載の電子機器。
【請求項４】
前記制御手段は、
前記第２の配色状態で、かつ、前記照明手段が点灯している状態において、前記操作手段が操作されたことに応じて、前記照明手段の点灯を維持したまま、前記表示手段における配色状態を前記第１の配色状態に変更するように制御し、
前記第２の配色状態で、かつ、前記照明手段が点灯している状態において、前記操作手段が所定時間継続したことに応じて、前記照明手段を消灯させ、前記表示手段における配色状態を前記第１の配色状態に変更するように制御することを特徴とする請求項１または３に記載の電子機器。
【請求項５】
前記制御手段は、
前記第２の配色状態で、かつ、前記照明手段が点灯している状態において、前記操作手段が操作されたことに応じて、前記照明手段を消灯させ、前記表示手段における配色状態を前記第１の配色状態に変更するように制御することを特徴とする請求項２に記載の電子機器。
【請求項６】
前記制御手段は、
前記照明手段の点灯を維持したまま、前記表示対象を前記第２の配色状態に変更してから一定時間が経過したことに応じて、前記照明手段を消灯させ、前記表示手段における配色状態を前記第１の配色状態に変更するように制御することを特徴とする請求項１ないし５の何れか１項に記載の電子機器。
【請求項７】
撮像手段により暗所に適した撮影を行う暗所撮影モード、または、前記表示手段とは異なる第２の表示手段に暗所に適した表示を行う暗所表示モードを含む複数のモードのうち何れかのモードを設定する設定手段を有し、
前記制御手段は、
前記設定手段により前記暗所撮影モードまたは前記暗所表示モードが設定されている場合、前記第１の配色状態で、かつ、前記照明手段が消灯している状態において、前記操作手段が操作されたことに応じて、前記表示手段における配色状態を変更することなく前記照明手段を点灯させ、その後、前記操作手段への操作が所定時間継続しても、または、再び前記操作手段が操作されたとしても、前記表示手段における配色状態を前記第２の配色状態に変更しないように制御することを特徴とする請求項１ないし６の何れか１項に記載の電子機器。
【請求項８】
前記制御手段は、
前記設定手段により前記暗所撮影モードまたは前記暗所表示モードが設定されている場合、前記第１の配色状態で、かつ、前記照明手段が消灯している状態において、前記操作手段が操作されたことに応じて、前記表示手段における配色状態を変更することなく前記照明手段を点灯させ、その後、前記操作手段への操作が所定時間継続しても、前記表示手段における配色状態を変更することなく、前記照明手段の点灯を維持するように制御することを特徴とする請求項７に記載の電子機器。
【請求項９】
前記制御手段は、
前記設定手段により前記暗所撮影モードまたは前記暗所表示モードが設定されている場合、前記第１の配色状態で、かつ、前記照明手段が消灯している状態において、前記操作手段が操作されたことに応じて、前記表示手段における配色状態を変更することなく前記照明手段を点灯させ、その後、再び前記操作手段が操作されたとしても、前記表示手段における配色状態を変更することなく、前記照明手段を消灯させるように制御することを特徴とする請求項７に記載の電子機器。
【請求項１０】
前記暗所撮影モードには、
星空の撮影に適したモード、夜景の撮影に適したモード、花火の撮影に適したモード、長時間露光撮影モード、または、シャッター速度を１秒以上に設定したときのモードを含むことを特徴とする請求項７ないし９の何れか１項に記載の電子機器。
【請求項１１】
前記暗所表示モードは、
前記第２の表示手段に対してＲＧＢのうちＢの成分を低減させて表示するモードであることを特徴とする請求項７ないし９の何れか１項に記載の電子機器。
【請求項１２】
前記制御手段は、
前記第２の表示手段に、撮像手段により撮影された画像および撮影に関する設定情報のうち少なくとも何れかを表示するように制御することを特徴とする請求項７、８、９、１１の何れか１項に記載の電子機器。
【請求項１３】
前記制御手段は、
前記表示対象として撮影に関する設定情報を表示するように制御することを特徴とする請求項１ないし１２の何れか１項に記載の電子機器。
【請求項１４】
被写体を撮影する撮像手段と、
前記撮像手段に被写体の撮影の開始を指示する撮影指示手段と、を有し、
前記制御手段は、
前記撮影指示手段により撮影の開始が指示された場合には、前記表示手段を非表示にするように制御することを特徴とする請求項１３に記載の電子機器。
【請求項１５】
前記制御手段は、
長時間露光撮影モードが設定されている場合には、前記撮影指示手段により撮影の開始が指示された場合であっても、前記表示手段を非表示にしないように制御することを特徴とする請求項１４に記載の電子機器。
【請求項１６】
表示対象を第１の色と、第１の色よりも明るい第２の色の何れかで表示する表示手段と、
前記表示手段を照明する照明手段と、
前記照明手段の点灯を指示する操作手段と、を有する電子機器の制御方法であって、
前記表示手段が表示対象を前記第２の色で表示し、前記表示対象の背景を前記第１の色で表示した第１の配色状態で、かつ、前記照明手段が消灯している状態において、前記操作手段が操作されたことに応じて、前記表示手段における配色状態を変更することなく前記照明手段を点灯させ、その後、前記操作手段への操作が所定時間継続したことに応じて、前記照明手段の点灯を維持したまま、前記表示対象を前記第１の色で表示し、前記表示対象の背景を前記第２の色で表示した第２の配色状態に変更するように制御する制御ステップを有することを特徴とする電子機器の制御方法。
【請求項１７】
表示対象を第１の色と、第１の色よりも明るい第２の色の何れかで表示する表示手段と、
前記表示手段を照明する照明手段と、
前記照明手段の点灯を指示する操作手段と、を有する電子機器の制御方法であって、
前記表示手段が表示対象を前記第２の色で表示し、前記表示対象の背景を前記第１の色で表示した第１の配色状態で、かつ、前記照明手段が消灯している状態において、前記操作手段が操作されたことに応じて、前記表示手段における配色状態を変更することなく前記照明手段を点灯させ、その後、再び前記操作手段が操作されたことに応じて、前記照明手段の点灯を維持したまま、前記表示対象を前記第１の色で表示し、前記表示対象の背景を前記第２の色で表示した第２の配色状態に変更するように制御する制御ステップを有することを特徴とする電子機器の制御方法。
【請求項１８】
コンピュータを、請求項１ないし１５の何れか１項に記載された電子機器の制御手段として機能させるためのプログラム。
【請求項１９】
コンピュータを、請求項１ないし１５の何れか１項に記載された電子機器の制御手段として機能させるためのプログラムを格納したコンピュータが読み取り可能な記録媒体。
【発明の詳細な説明】
【技術分野】
【０００１】
本発明は、電子機器、その制御方法、プログラムおよび記録媒体に関する。
【背景技術】
【０００２】
従来、表示装置の暗所での視認性を向上させるために、表示装置を照らす照明の点灯だけでなく、表示装置の表示自体を変更する制御が知られている。
特許文献１には、表示装置のバックライト照明点灯時にネガ表示が、消灯時にはポジ表示を行うように制御する液晶表示装置が開示されている。特許文献２には、バックライト点灯時と消灯時で表示データを変えるように制御する表示装置が開示されている。
【先行技術文献】
【特許文献】
【０００３】
【特許文献１】特開昭６３−４３１２３号公報
【特許文献２】特開２００８−２６５４６号公報
【発明の概要】
【発明が解決しようとする課題】
【０００４】
しかしながら、上述の特許文献に開示された従来技術では、バックライト照明が点灯したときに白黒反転させて白バック表示にすると、暗所順応したユーザの目には表示が明るすぎてむしろ視認性が悪くなったり、暗所順応が解けてしまったりする懸念がある。
本発明は、上述したような課題に鑑みて、表示手段の照明と配色の切替えをより好適に制御することを目的とする。
【課題を解決するための手段】
【０００５】
本発明の電子機器は、表示対象を第１の色と、第１の色よりも明るい第２の色の何れかで表示する表示手段と、前記表示手段を照明する照明手段と、前記照明手段の点灯を指示する操作手段と、前記表示手段が表示対象を前記第２の色で表示し、前記表示対象の背景を前記第１の色で表示した第１の配色状態で、かつ、前記照明手段が消灯している状態において、前記操作手段が操作されたことに応じて、前記表示手段における配色状態を変更することなく前記照明手段を点灯させ、その後、前記操作手段への操作が所定時間継続したことに応じて、前記照明手段の点灯を維持したまま、前記表示対象を前記第１の色で表示し、前記表示対象の背景を前記第２の色で表示した第２の配色状態に変更するように制御する制御手段と、を有することを特徴とする。
【発明の効果】
【０００６】
本発明によれば、表示手段の照明と配色の切替えをより好適に制御することができる。
【図面の簡単な説明】
【０００７】
【図１】デジタルカメラの外観構成の一例を示す図である。
【図２】デジタルカメラの内部構成の一例を示す図である。
【図３】ファインダ外表示部における表示形態の一例を示す図である。
【図４】第１の実施形態の表示制御の一例を示すフローチャートである。
【図５】第２の実施形態の表示制御の一例を示すフローチャートである。
【発明を実施するための形態】
【０００８】
以下、図面を参照して本発明の好適な実施形態について説明する。
（第１の実施形態）
本実施形態では、電子機器がデジタルカメラ１００（以下、カメラ１００という）である場合について説明する。
図１（ａ）、（ｂ）は、カメラ１００の外観図の一例を示す図である。図１（ａ）はカメラ１００の前面斜視図であり、図１（ｂ）はカメラ１００の背面斜視図である。
カメラ１００は、上面にシャッターボタン１０１、メイン電子ダイヤル１０２、モード切替スイッチ１０３、ファインダ外表示部１０４等を備える。シャッターボタン１０１は、撮影準備指示あるいは撮影指示するための操作部である。シャッターボタン１０１は、撮影指示手段の一例に対応する。メイン電子ダイヤル１０２は、シャッター速度や絞り等の設定値を変更するための回転式の操作部である。モード切替スイッチ１０３は、各種モードを切替えるための操作部である。モード切替スイッチ１０３により静止画撮影モード、動画撮影モード等に切替えられる。ファインダ外表示部１０４は、シャッター速度、絞り数値、ＩＳＯ感度等の設定値を表示する。ファインダ外表示部１０４は、例えば、液晶表示パネルであって、表示手段の一例に対応する。
【０００９】
また、カメラ１００は、背面に表示部１０５、電源スイッチ１０６、サブ電子ダイヤル１０７、十字キー１０８、ＳＥＴボタン１０９、ライブビューボタン１１０を備える。また、カメラ１００は、拡大ボタン１１１、縮小ボタン１１２、再生ボタン１１３、ファインダ１１４等を備える。
表示部１０５は、画像や各種情報を表示する。また、表示部１０５は、ライブビュー画像を表示したり、静止画撮影後のクイックレビュー画像を表示したり、動画記録中の画像を表示したりする。表示部１０５は、第２の表示手段の一例である。電源スイッチ１０６は、カメラ１００の電源のオンおよびオフを切替える操作部である。サブ電子ダイヤル１０７は、選択枠の移動や画像送り等を行うための回転式の操作部である。十字キー１０８は、上下左右にそれぞれ押下可能なキー（４方向キー）であり、押下した位置に応じた操作が可能である。ＳＥＴボタン１０９は、主に選択項目を決定するときに押下される操作部である。
【００１０】
ライブビューボタン１１０は、静止画撮影モードにおいてはファンダー撮影モードとライブビュー撮影モードとを切替え、動画撮影モードにおいては動画撮影（記録）の開始、停止を指示するための操作部である。拡大ボタン１１１は、ライブビュー画像の表示において拡大モードのオン、オフおよび拡大モード中の拡大率を変更するための操作部である。また、拡大ボタン１１１は、再生モードにおいて再生画像の拡大率を大きくするときに用いられる。縮小ボタン１１２は拡大された再生画像の拡大率を小さくし、表示された画像を縮小させるための操作部である。再生ボタン１１３は、撮影モードと再生モードとを切替えるためのボタンである。静止画撮影モードあるいは動画撮影モード中に再生ボタン１１３が押下されることで、再生モードに切替えられ、表示部１０５に記録媒体に記録された画像のうち最新の画像が表示される。ファインダ１１４は、後述するフォーカシングスクリーンを観察することで、被写体の光学像の焦点や構図の確認を行うための覗き込み型のファインダである。
【００１１】
また、カメラ１００の右側にはグリップ部１１５、蓋部１１６等を備え、左側には端子カバー１１７等を備える。グリップ部１１５は、ユーザがカメラ１００を構えたときに右手で握り易いように形成された保持部である。蓋部１１６は、記録媒体を格納するスロットを閉塞するための蓋である。端子カバー１１７は、外部機器の接続ケーブル等を接続するコネクタを保護するためのカバーである。
また、カメラ１００の内部には、アクチュエータによってアップダウンされるクイックリターンミラー１１８が配置される。また、カメラ１００は、交換レンズとしてのレンズユニットを装着する装着部１１９と、レンズユニットと通信するための通信端子１２０とを備える。
【００１２】
図２は、カメラ１００の構成の一例を示すブロック図である。なお、図１と同一の構成は、同一符号を付してその説明を適宜、省略する。カメラ１００は、着脱可能なレンズユニット２０１が装着される。
レンズユニット２０１は、絞り２０２、レンズ群２０３、絞り駆動回路２０４、ＡＦ（オートフォーカス）駆動回路２０５、レンズ制御回路２０６、通信端子２０７等を有する。絞り２０２は、開口径が調整可能に構成される。レンズ群２０３は、複数枚のレンズから構成される。絞り駆動回路２０４は、絞り２０２の開口径を制御することで光量を調整する。ＡＦ駆動回路２０５は、レンズ群２０３を駆動させて焦点を合わせる。レンズ制御回路２０６は、後述するシステム制御部５０の指示に基づいて、絞り駆動回路２０４、ＡＦ駆動回路２０５等を制御する。レンズ制御回路２０６は、絞り駆動回路２０４を介して絞り２０２の制御を行い、ＡＦ駆動回路２０５を介してレンズ群２０３の位置を変位させることで焦点を合わせる。レンズ制御回路２０６は、カメラ１００との間で通信可能である。具体的には、レンズユニット２０１の通信端子２０７と、カメラ１００の通信端子１２０とを介して通信される。
【００１３】
次に、カメラ１００について説明する。
カメラ１００は、クイックリターンミラー１１８、フォーカシングスクリーン２０８、ペンタプリズム２０９、ＡＥ（自動露出）センサ２１０、焦点検出部２１１、ファインダ１１４、シャッター２１２、撮像部２１３、システム制御部５０を有する。
クイックリターンミラー１１８（以下、ミラー１１８）は、露光、ライブビュー画像の表示、動画撮影をする場合に、システム制御部５０の指示に基づいてアクチュエータによりアップダウンされる。ミラー１１８は、レンズ群２０３から入射した光束をファインダ１１４側または撮像部２１３側に切替える。通常の場合には、ミラー１１８は光束をファインダ１１４側に導くように配置される。一方、撮影する場合やライブビュー画像を表示する場合には、ミラー１１８は光束を撮像部２１３に導くように上方に跳ね上がり待避する（ミラーアップ）。また、ミラー１１８は、中央部が光の一部を透過するハーフミラーで構成され、光束の一部が焦点検出を行うための焦点検出部２１１に入射するように透過させる。
【００１４】
ＡＥセンサ２１０は、レンズユニット２０１を通した被写体の輝度を測光する。
焦点検出部２１１は、ミラー１１８により透過された光束に基づいてデフォーカス量を検出する。システム制御部５０はデフォーカス量に基づいてレンズユニット２０１を制御し、位相差ＡＦを行う。ユーザは、ペンタプリズム２０９とファインダ１１４を介して、フォーカシングスクリーン２０８を観察することで、レンズユニット２０１を通して得た被写体の光学像の焦点や構図を確認することができる。シャッター２１２は、システム制御部５０の指示に基づいて撮像部２１３の露光時間を自由に制御できるフォーカルプレーンシャッターである。撮像部２１３は、光学像を電気信号に変換するＣＣＤやＣＭＯＳ素子等で構成される撮像素子である。
【００１５】
また、カメラ１００は、Ａ／Ｄ変換器２１４、メモリ制御部２１５、画像処理部２１６、メモリ２１７、Ｄ／Ａ変換器２１８、表示部１０５を有する。Ａ／Ｄ変換器２１４は、撮像部２１３から出力されるアナログ信号をデジタル信号に変換する。画像処理部２１６は、Ａ／Ｄ変換器２１４からの画像データまたはメモリ制御部２１５からの画像データに対し所定の画素補間、縮小といったリサイズ処理や色変換処理を行う。また、画像処理部２１６では、撮影した画像データを用いて所定の演算処理が行われ、得られた演算結果に基づいてシステム制御部５０が露光制御、測距制御を行う。この処理により、ＴＴＬ（スルー・ザ・レンズ）方式のＡＦ処理、ＡＥ処理、ＥＦ（フラッシュプリ発光）処理が行われる。更に、画像処理部２１６では、撮影した画像データを用いて所定の演算処理を行い、得られた演算結果に基づいてＴＴＬ方式のＡＷＢ（オートホワイトバランス）処理も行っている。
【００１６】
Ａ／Ｄ変換器２１４からの画像データは、画像処理部２１６およびメモリ制御部２１５を介して、または、メモリ制御部２１５を介してメモリ２１７に直接書き込まれる。メモリ２１７は、撮像部２１３によって得られＡ／Ｄ変換器２１４によりデジタルデータに変換された画像データや、表示部１０５に表示するための画像データを記憶する。メモリ２１７は、所定枚数の静止画像や所定時間の動画および音声を記憶するのに十分な記憶容量を備えている。また、メモリ２１７は、画像表示用のメモリ（ビデオメモリ）を兼ねている。
【００１７】
Ｄ／Ａ変換器２１８は、メモリ２１７に記憶されている表示用の画像データをアナログ信号に変換して表示部１０５に供給する。したがって、メモリ２１７に書き込まれた表示用の画像データは、Ｄ／Ａ変換器２１８を介して表示部１０５により表示される。表示部１０５は、ＬＣＤ等の表示器上にＤ／Ａ変換器２１８からのアナログ信号に応じた表示を行う。Ａ／Ｄ変換器２１４によって一度Ａ／Ｄ変換されメモリ２１７に蓄積されたデジタル信号をＤ／Ａ変換器２１８でアナログ変換し、表示部１０５に逐次転送して表示することでライブビュー画像を表示（スルー表示）でき、電子ビューファインダとして機能する。
【００１８】
また、カメラ１００は、ファインダ内表示部２１９、ファインダ内表示駆動回路２２０、ファインダ外表示部１０４、ファインダ外表示駆動回路２２１、照明部２２２、不揮発性メモリ２２３、システムメモリ２２４、システムタイマ２２５を有する。ファインダ内表示部２１９は、ファインダ内表示駆動回路２２０を介して、現在ＡＦが行われている位置を示す枠（ＡＦ枠）や、カメラの設定状態を表すアイコン等を表示する。ファインダ外表示部１０４は、ファインダ外表示駆動回路２２１を介してシャッター速度、絞り数値、ＩＳＯ感度等の設定値を表示する。照明部２２２は点灯することでファインダ外表示部１０４を照明する。照明部２２２は、例えば、バックライト照明であって、照明手段の一例に対応する。不揮発性メモリ２２３は、電気的に消去・記憶可能なメモリであり、例えばＥＥＰＲＯＭ等が用いられる。不揮発性メモリ２２３には、システム制御部５０の動作用の定数、プログラム、閾値等が記憶される。このプログラムは、後述するフローチャートの処理を実行するためのプログラムである。
【００１９】
システムメモリ２２４は、例えばＲＡＭが用いられる。システムメモリ２２４には、システム制御部５０の動作用の定数、変数、不揮発性メモリ２２３から読み出したプログラム等が展開される。システムタイマ２２５は、各種制御に用いる時間や、内蔵された時計の時間を計測する計時部である。
システム制御部５０は、少なくとも１つのプロセッサーを有し、カメラ１００全体を制御する。システム制御部５０は、上述した不揮発性メモリ２２３に格納されたプログラムを実行することで、後述する各処理を実現する。また、システム制御部５０は、メモリ２１７、Ｄ／Ａ変換器２１８、表示部１０５、ファインダ外表示部１０４、ファインダ外表示駆動回路２２１等を制御することにより表示制御も行う。システム制御部５０は、制御手段、設定手段の一例に対応する。
【００２０】
また、カメラ１００は、モード切替スイッチ１０３、第１シャッタースイッチ２２６、第２シャッタースイッチ２２７、操作部２２８等のシステム制御部５０に各種の動作指示を入力するための操作手段を有する。
モード切替スイッチ１０３は、静止画撮影モード、動画撮影モードおよび再生モード等の何れかに切替えるための操作部である。システム制御部５０は、モード切替スイッチ１０３により切替えられたモードを設定する。静止画撮影モードに含まれるモードには、オート撮影モード、オートシーン判別モード、マニュアルモード、絞り優先モード（Ａｖモード）、シャッター速度優先モード（Ｔｖモード）、長時間露光（バルブ）撮影モード等がある。また、撮影シーン別の撮影設定となる各種シーンモード、プログラムＡＥモード、カスタムモード等がある。モード切替スイッチ１０３により、上述したモードの何れかに直接切替えることができる。また、モード切替スイッチ１０３によりメニューボタンに一旦切替えた後に、メニューボタンに含まれる上述したモードの何れかに、他の操作部を用いて切替えてもよい。同様に、動画撮影モードにも複数のモードが含まれていてもよい。
【００２１】
第１シャッタースイッチ２２６は、シャッターボタン１０１の操作途中、いわゆる半押し（撮影準備指示）でオンとなり、第１シャッタースイッチ信号ＳＷ１を発生させる。システム制御部５０は、第１シャッタースイッチ信号ＳＷ１により、ＡＦ処理、ＡＥ処理、ＡＷＢ処理、ＥＦ処理等の動作を開始する。
第２シャッタースイッチ２２７は、シャッターボタン１０１の操作完了、いわゆる全押し（撮影指示）でオンとなり、第２シャッタースイッチ信号ＳＷ２を発生させる。システム制御部５０は、第２シャッタースイッチ信号ＳＷ２により、撮像部２１３からの信号読み出しから記録媒体２４０に画像データを書き込むまでの一連の撮影処理の動作を開始する。
【００２２】
操作部２２８は、ユーザからの操作を受け付ける入力部としての各種操作部材である。操作部２２８は、表示部１０５に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押下されると各種の設定可能なメニュー画面が表示部１０５に表示される。ユーザは表示部１０５に表示されたメニュー画面と、十字キー１０８やＳＥＴボタン１０９等とを用いて直感的に各種設定を行うことができる。操作部２２８は、例えば、シャッターボタン１０１、メイン電子ダイヤル１０２、電源スイッチ１０６、サブ電子ダイヤル１０７、十字キー１０８、ＳＥＴボタン１０９が含まれる。また、操作部２２８は、例えば、ライブビューボタン１１０、拡大ボタン１１１、縮小ボタン１１２、再生ボタン１１３、照明ボタン２２８ａ等が含まれる。照明ボタン２２８ａは、照明部２２２を点灯させる場合等に操作する操作部材である。ただし、照明ボタン２２８ａは、物理的な操作部材である場合に限られず、表示部１０５に表示されるタッチボタンであってもよい。照明ボタン２２８ａは、操作手段の一例に対応する。照明ボタン２２８ａは、カメラ１００の複数の面のうち、ファインダ外表示部１０４の備えられた面と同じ面に備えると、ファインダ外表示部１０４を見ながら操作できるため好適である。
【００２３】
また、カメラ１００は、電源制御部２２９、電源部２３０、記録媒体Ｉ／Ｆ２３１、通信部２３２、姿勢検知部２３３等を有する。電源制御部２２９は、電池検出回路、ＤＣ−ＤＣコンバータ、通電するブロックを切替えるスイッチ回路等により構成され、電池の装着の有無、電池の種類、電池残量の検出を行う。また、電源制御部２２９は、その検出結果およびシステム制御部５０の指示に基づいてＤＣ−ＤＣコンバータを制御し、必要な電圧を必要な期間、記録媒体２４０を含む各部へ供給する。電源部２３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２３１は、メモリカードやハードディスク等の記録媒体２４０とのインターフェースである。記録媒体２４０は、撮影された画像を記憶するためのメモリカード等の記録媒体であり、半導体メモリや磁気ディスク等から構成される。通信部２３２は、カメラ１００を無線または有線ケーブルによって外部機器に接続し、映像信号や音声信号の送受信を行う。また、通信部２３２は、撮像部２１３により撮影された画像（ライブビュー画像を含む）や、記録媒体２４０に記憶された画像を送信したり、外部機器から画像データやその他の各種情報を受信したりすることができる。なお、通信部２３２は、無線ＬＡＮ（Ｌｏｃａｌ  Ａｒｅａ  Ｎｅｔｗｏｒｋ）やインターネットとも接続可能である。
姿勢検知部２３３は、重力方向に対するカメラ１００の姿勢を検知する。システム制御部５０は、姿勢検知部２３３により検知された姿勢に基づいて、撮像部２１３で撮影された画像がカメラ１００を横に構えて撮影された画像であるか、縦に構えて撮影された画像であるか判別することができる。なお、システム制御部５０は、姿勢検知部２３３で検知された姿勢に応じた向き情報を、撮像部２１３により撮影された画像データに付加したり、画像を回転して記憶したりすることができる。姿勢検知部２３３には加速度センサやジャイロセンサ等を用いることができる。
【００２４】
次に、本実施形態のファインダ外表示部１０４における設定値の表示形態について説明する。ファインダ外表示部１０４は、表示対象を第１の色と、第１の色よりも明るい第２の色の何れかで表示する。すなわち、ファインダ外表示部１０４では、表示対象が２色（２値）で表示される。本実施形態では、第１の色が黒であって、第２の色が白である場合を例にして説明する。
図３（ａ）〜図３（ｃ）は、ファインダ外表示部１０４における表示形態の一例を示す図である。本実施形態では、ファインダ外表示部１０４に図３（ａ）〜図３（ｃ）の３つの表示形態のうち何れか一つの表示形態で設定値が表示される。
ファインダ外表示部１０４には、表示対象として、カメラ１００に設定されている撮影に関する設定値が表示される。ここで、設定値は、例えば、シャッター速度３０１、絞り数値３０２、ＩＳＯ感度３０３等がある。また、ファインダ外表示部１０４では、表示対象を白で表示し、表示対象の背景を黒で表示する第１の配色状態と、表示対象を黒で表示し、表示対象の背景を白で表示する第２の配色状態とがある。
また、図３（ｂ）、（ｃ）に示すマーク３０４は照明部２２２が点灯していることを模式的に示し、マーク３０４がない図３（ａ）では照明部２２２が消灯していることを示している。
【００２５】
図３（ａ）は、表示対象を白で表示し、表示対象の背景を黒で表示した第１の配色状態であって、照明部２２２が消灯された状態である。図３（ａ）に示す表示形態は、例えば、ユーザが明所で視認する場合に適している。
図３（ｂ）は、第１の配色状態であって、照明部２２２が点灯された状態を示している。図３（ｂ）に示す表示形態は、図３（ａ）から図３（ｃ）の表示形態に移行する前に表示することで、瞬時にファインダ外表示部１０４が明るくなりすぎるのを抑制する。
図３（ｃ）は、表示対象を黒で表示し、表示対象の背景を白で表示した第２の配色状態であって、照明部２２２が点灯された状態である。図３（ｃ）に示す表示形態は、ユーザが暗所で視認する場合に適している。
【００２６】
次に、本実施形態のファインダ外表示部１０４における表示制御について図４のフローチャートを参照して説明する。
図４のフローチャートは、システム制御部５０が不揮発性メモリ２２３に格納されたプログラムをシステムメモリ２２４に展開して実行することにより実現される。図４のフローチャートは、カメラ１００の電源がオンになることで開始され、システム制御部５０が設定された設定値をファインダ外表示部１０４に表示しているものとする。なお、図４のフローチャートでは、第１の配色状態を黒バックと表記し、第２の配色状態を白バックと表記する。
【００２７】
Ｓ４０１では、システム制御部５０は照明ボタン２２８ａが操作（押下）されたか否かを判定する。照明ボタン２２８ａが操作された場合にはＳ４０２に進み、照明ボタン２２８ａが操作されていない場合には照明ボタン２２８ａの操作を待機する。
Ｓ４０２では、システム制御部５０は現在のファインダ外表示部１０４の配色状態および照明部２２２の照明状態を確認する。システム制御部５０はファインダ外表示駆動回路２２１を介して配色状態を確認し、照明部２２２を介して照明状態を確認する。ここで、配色状態が第１の配色状態（表示対象が白、背景が黒）であって、照明部２２２が点灯している照明状態である場合、すなわち図３（ｂ）に示す状態である場合にはＳ４０３に進み、当該状態とは異なる場合にはＳ４０９に進む。
【００２８】
Ｓ４０３では、システム制御部５０は照明ボタン２２８ａの操作（押下）が継続している時間を計測するためのタイマ計測を開始する。すなわち、システム制御部５０は照明ボタン２２８ａが継続して押下されている時間を、システムタイマ２２５を用いて計測する。
Ｓ４０４では、システム制御部５０は照明ボタン２２８ａの操作（押下）が解除されたか否かを判定する。照明ボタン２２８ａの操作が解除された場合にはＳ４０５に進む。Ｓ４０５に進む場合とは照明ボタン２２８ａを押下して直ぐに離す操作を想定している。照明ボタン２２８ａの操作が解除されていない場合、すなわち操作が継続している場合にはＳ４０６に進む。
【００２９】
Ｓ４０５では、システム制御部５０はファインダ外表示部１０４の配色状態を第１の配色状態（表示対象が白、背景が黒）にしたまま、照明部２２２を消灯するように制御する。すなわち、システム制御部５０はファインダ外表示部１０４を図３（ｂ）から図３（ａ）に示す状態に切替える。その後、図４のフローチャートの処理を終了する。
Ｓ４０６では、システム制御部５０は照明ボタン２２８ａの操作（押下）が継続されている時間が所定時間を経過したか否かを判定する。所定時間の情報は、例えば不揮発性メモリ２２３に記憶されている。所定時間を経過していない場合にはＳ４０４に戻る。所定時間を経過した場合にはＳ４０７に進む。Ｓ４０７に進む場合とは照明ボタン２２８ａを継続して押下している操作（長押し）を想定している。
【００３０】
Ｓ４０７では、システム制御部５０はファインダ外表示部１０４の配色状態を第２の配色状態（表示対象が黒、背景が白）に変更し、照明部２２２を点灯したままに制御する。すなわち、システム制御部５０はファインダ外表示部１０４を図３（ｂ）から図３（ｃ）に示す状態に切替える。
Ｓ４０８では、システム制御部５０は照明ボタン２２８ａの操作が解除されたか否かを判定する。照明ボタン２２８ａの操作が解除された場合には図４のフローチャートの処理を終了する。照明ボタン２２８ａの操作が解除されていない場合には照明ボタン２２８ａの操作の解除を待機する。
【００３１】
Ｓ４０２からＳ４０９に進んだ場合、システム制御部５０は現在のファインダ外表示部１０４の配色状態および照明部２２２の照明状態を確認する。ここで、配色状態が第２の配色状態（表示対象が黒、背景が白）であって、照明部２２２が点灯している照明状態である場合、すなわち図３（ｃ）に示す状態である場合にはＳ４１６に進み、当該状態とは異なる場合にはＳ４１０に進む。ここで、Ｓ４１０に進む場合とは、配色状態が第１の配色状態（表示対象が白、背景が黒）であって、照明部２２２が消灯している状態、すなわち、図３（ａ）に示す状態に相当する。
【００３２】
Ｓ４１０では、システム制御部５０はファインダ外表示部１０４の配色状態を第１の配色状態（表示対象が白、背景が黒）にしたまま、照明部２２２を点灯するように制御する。すなわち、システム制御部５０はファインダ外表示部１０４を図３（ａ）から図３（ｂ）に示す状態に切替える。例えば、ユーザがカメラ１００を暗所で用いているために、ファインダ外表示部１０４に表示された設定値を確認し難い場合がある。この場合、ユーザはファインダ外表示部１０４の表示された設定値を確認するために、Ｓ４０１において照明ボタン２２８ａを操作する。Ｓ４０１の照明ボタン２２８ａの操作に応じて、システム制御部５０は図３（ａ）に示すように配色状態が第１の配色状態であって、照明部２２２が消灯している状態から、図３（ｂ）に示すように配色状態を維持したまま照明部２２２を点灯する。
なお、Ｓ４１０では、システム制御部５０はＳ４０１においてユーザが照明ボタン２２８ａを押下して離すことに応じて照明部２２２を点灯するのではなく、押下されて直ぐに照明部２２２を点灯する。
【００３３】
Ｓ４１１では、システム制御部５０は照明ボタン２２８ａの操作（押下）が継続している時間を計測するためのタイマ計測を開始する。この処理は、Ｓ４０３と同様の処理である。
Ｓ４１２では、システム制御部５０は照明ボタン２２８ａの操作（押下）が解除されたか否かを判定する。照明ボタン２２８ａの操作が解除された場合には図４のフローチャートの処理を終了する。図４のフローチャートの処理を終了する場合とは照明ボタン２２８ａを押下して直ぐに離す操作を想定している。照明ボタン２２８ａの操作が解除されていない場合、すなわち操作が継続している場合にはＳ４１３に進む。
【００３４】
Ｓ４１３では、システム制御部５０は照明ボタン２２８ａの操作（押下）が継続されている時間が所定時間を経過したか否かを判定する。所定時間を経過していない場合にはＳ４１２に戻る。所定時間を経過した場合にはＳ４１４に進む。Ｓ４１４に進む場合とは照明ボタン２２８ａを継続して押下している操作（長押し）を想定している。
【００３５】
Ｓ４１４では、システム制御部５０はファインダ外表示部１０４の配色状態を第２の配色状態（表示対象が黒、背景が白）に変更し、照明部２２２を点灯したままに制御する。すなわち、システム制御部５０はファインダ外表示部１０４を図３（ｂ）から図３（ｃ）に示す状態に切替える。このように、ファインダ外表示部１０４が第２の配色状態（表示対象が黒、背景が白）であって、照明部２２２が点灯している状態では、ユーザは暗所であってもファインダ外表示部１０４の設定値を容易に確認することができる。特に、ユーザが暗所順応していない場合に、ファインダ外表示部１０４の設定値を容易に確認することができる。
また、ユーザが暗所のためファインダ外表示部１０４の設定値を確認し難く、Ｓ４０１において照明ボタン２２８ａを操作した場合、図３（ａ）から瞬時に図３（ｃ）に切替えるのではなく、図３（ｂ）の状態を介在させている。図３（ａ）から瞬時に図３（ｃ）にした場合には、ファインダ外表示部１０４が急に明るくなりすぎてしまい、ユーザが暗所順応している場合にはむしろ視認性が悪くなったり、暗所順応が解けてしまったりする可能性がある。そのために、図３（ｃ）の状態に切替える前に、図３（ｂ）の状態を介在させることで、ファインダ外表示部１０４が瞬時に明るくなりすぎるのを抑制させることで、ファインダ外表示部１０４の視認性を向上させることができる。
【００３６】
Ｓ４１５では、システム制御部５０は照明ボタン２２８ａの操作が解除されたか否かを判定する。照明ボタン２２８ａの操作が解除された場合には図４のフローチャートの処理を終了する。照明ボタン２２８ａの操作が解除されていない場合には照明ボタン２２８ａの操作の解除を待機する。
Ｓ４０９からＳ４１６に進んだ場合、システム制御部５０は照明ボタン２２８ａの操作（押下）が継続している時間を計測するためのタイマ計測を開始する。この処理は、Ｓ４０３と同様の処理である。
Ｓ４１７では、システム制御部５０は照明ボタン２２８ａの操作（押下）が解除されたか否かを判定する。照明ボタン２２８ａの操作が解除された場合にはＳ４１８に進む。Ｓ４１８に進む場合とは照明ボタン２２８ａを押下して直ぐに離す操作を想定している。照明ボタン２２８ａの操作が解除されていない場合、すなわち操作が継続している場合にはＳ４１９に進む。
【００３７】
Ｓ４１８では、システム制御部５０はファインダ外表示部１０４の配色状態を第１の配色状態（表示対象が白、背景が黒）に変更し、照明部２２２を点灯したままに制御する。すなわち、システム制御部５０はファインダ外表示部１０４を図３（ｃ）から図３（ｂ）に示す状態に切替える。
Ｓ４１９では、システム制御部５０は照明ボタン２２８ａの操作（押下）が継続されている時間が所定時間を経過したか否かを判定する。所定時間を経過していない場合にはＳ４１７に戻る。所定時間を経過した場合にはＳ４２０に進む。Ｓ４２０に進む場合とは照明ボタン２２８ａを継続して押下している操作（長押し）を想定している。
【００３８】
Ｓ４２０では、システム制御部５０はファインダ外表示部１０４の配色状態を第１の配色状態（表示対象が白、背景が黒）に変更し、照明部２２２を消灯するように制御する。すなわち、システム制御部５０はファインダ外表示部１０４を図３（ｃ）から図３（ａ）に示す状態に切替える。
Ｓ４２１では、システム制御部５０は照明ボタン２２８ａの操作が解除されたか否かを判定する。照明ボタン２２８ａの操作が解除された場合には図４のフローチャートの処理を終了する。照明ボタン２２８ａの操作が解除されていない場合には照明ボタン２２８ａの操作の解除を待機する。
【００３９】
このように、本実施形態のファインダ外表示部１０４が表示対象を白、背景を黒で表示した第１の配色状態で、かつ、照明部２２２が消灯している状態で、照明ボタン２２８ａが操作されたことに応じて配色状態を変更することなく照明部２２２を点灯させる。その後、照明ボタン２２８ａへの操作が所定時間継続したことに応じて、照明部２２２の点灯を維持したまま、表示対象を黒、背景を白で表示した第２の配色状態に変更する。したがって、本実施形態では、第１の配色状態、かつ、照明部２２２が消灯している状態において、暗所のため見え難い場合にユーザが照明ボタンを操作すると、配色状態を変更することなく照明部２２２を点灯させる。このように、ファインダ外表示部１０４を段階的に明るくして、瞬時に明るくなりすぎるのを抑制させることで、ファインダ外表示部１０４の視認性を向上させることができる。
【００４０】
また、第１の配色状態から瞬時に、照明部２２２を点灯して第２の配色状態に変更すると、人間の視覚的に表示対象の線の太さが異なって見えてしまい、ユーザは画面デザインの印象が変わったと感じ、違和感を生じてしまうことがある。本実施形態のように、ファインダ外表示部１０４を段階的に明るくすることで、ユーザに画面デザインの印象が変わったと感じることを和らげ、違和感が生じるのを抑制することができる。
また、照明ボタン２２８ａへの操作が所定時間継続したことに応じて、照明部２２２の点灯を維持したまま、第２の配色状態に変更することで、暗所であってもファインダ外表示部１０４の表示対象を容易に確認することができる。特に、ユーザが暗所順応していない場合に、ファインダ外表示部１０４の表示対象を容易に確認することができる。このように、本実施形態によれば、ファインダ外表示部１０４の照明と配色の切替えをより好適に制御することで、ファインダ外表示部１０４の視認性を向上させることができる。
【００４１】
（第２の実施形態）
第２の実施形態では、暗所撮影モードや暗所表示モードに設定されている場合に表示形態の切替えを変更する場合について説明する。なお、カメラ１００の構成は、図１および図２の構成と同様であり、その説明を省略する。
ここで、暗所撮影モードとは、暗所で撮影することに適した撮影モードである。例えば、暗所撮影モードには、星空モード、手持ち夜景モードおよび花火モード等が含まれる。星空モードとは、星空の撮影に適した撮影モードであって、星空の明るさに適した現像処理が実行される。手持ち夜景モードは、三脚等を用いずにカメラ１００を手で持った状態での夜景の撮影に適した撮影モードである。花火モードは、花火（打ち上げ花火）の撮影に適した撮影モードである。ユーザがモード切替スイッチ１０３でシーンモードを選択した後に、十字キー１０８等を用いてシーンモードに含まる上述した、星空モード、手持ち夜景モードまたは花火モードの何れかを選択することで、システム制御部５０は選択されたモードを設定する。なお、ユーザがシャッター速度を１秒以上にするようなモードを選択した場合にも、システム制御部５０は撮影モードを暗所撮影モードとして設定する。
【００４２】
また、暗所表示モードとは、暗所で表示部１０５を視認するときに適した表示モードである。暗所表示モードでは、表示部１０５にカラーで表示される表示対象を暗所で視認しやすい色で表示する。具体的には、ＲＧＢのうちＢ（青）の成分のみを低減（Ｂの成分が全くない場合を含む）して表示される。人間の目は、暗所順応していないうちは暗所で周りが見えないが徐々に時間を掛けて順応し、暗所順応した状態になることで暗所でも周りが見えるようになる。一方、人間の目がＢの成分の光の波長を見ることで、短い時間で暗所順応が解けてしまう。したがって、暗所表示モードではＢの成分を低減することで、ユーザが表示部１０５を視認したとしても暗所順応が簡単に解けないようにする。ユーザがメニュー画面から暗所表示モードをオンにすることで、システム制御部５０は暗所表示モードを設定する。なお、暗所表示モードでは、撮像部２１３により撮影された画像を始め、撮影に関する各種の設定情報がＢの成分のみを低減させて表示部１０５に表示される。
【００４３】
次に、本実施形態のカメラ１００のファインダ外表示部１０４における表示制御について図５のフローチャートを参照して説明する。
図５のフローチャートは、システム制御部５０が不揮発性メモリ２２３に格納されたプログラムをシステムメモリ２２４に展開して実行することにより実現される。図５のフローチャートは、カメラ１００の電源がオンになることで開始され、システム制御部５０が設定された設定値をファインダ外表示部１０４に表示しているものとする。なお、図５のフローチャートでは、第１の配色状態を黒バックと表記し、第２の配色状態を白バックと表記する。
【００４４】
Ｓ５０１では、システム制御部５０は照明ボタン２２８ａが操作（押下）されたか否かを判定する。照明ボタン２２８ａが操作された場合にはＳ５０２に進み、照明ボタン２２８ａが操作されていない場合には照明ボタン２２８ａの操作を待機する。
Ｓ５０２では、システム制御部５０は現在のファインダ外表示部１０４の配色状態および照明部２２２の照明状態を確認する。ここで、配色状態が第１の配色状態（表示対象が白、背景が黒）であって、照明部２２２が消灯している照明状態である場合、すなわち図３（ａ）に示す状態である場合にはＳ５０３に進み、当該状態とは異なる場合にはＳ５０４に進む。
【００４５】
Ｓ５０３では、システム制御部５０はファインダ外表示部１０４の配色状態を第１の配色状態（表示対象が白、背景が黒）にしたまま、照明部２２２を点灯するように制御する。すなわち、システム制御部５０はファインダ外表示部１０４を図３（ａ）から図３（ｂ）に示す状態に切替える。
Ｓ５０４では、システム制御部５０は現在のファインダ外表示部１０４の配色状態および照明部２２２の照明状態を確認する。ここで、配色状態が第１の配色状態（表示対象が白、背景が黒）であって、照明部２２２が点灯している照明状態である場合、すなわち図３（ｂ）に示す状態である場合にはＳ５０６に進み、当該状態とは異なる場合にはＳ５０５に進む。ここで、Ｓ５０５に進む場合とは、配色状態が第２の配色状態（表示対象が黒、背景が白）であって、照明部２２２が点灯している状態、すなわち、図３（ｃ）に示す状態に相当する。
【００４６】
Ｓ５０５では、システム制御部５０はファインダ外表示部１０４の配色状態を第１の配色状態（表示対象が白、背景が黒）に変更し、照明部２２２を消灯するように制御する。すなわち、システム制御部５０はファインダ外表示部１０４を図３（ｃ）から図３（ａ）に示す状態に切替える。
Ｓ５０６では、システム制御部５０は暗所撮影モードまたは暗所表示モードの何れかに設定されているか否かを判定する。具体的には、システム制御部５０は現在、カメラ１００に設定している撮影モードあるいは表示モードに基づいて判定する。暗所撮影モードまたは暗所表示モードの何れかに設定されている場合にはＳ５０５に進む。暗所撮影モードおよび暗所表示モードの何れのモードにも設定されていない場合にはＳ５０７に進む。
【００４７】
Ｓ５０７では、システム制御部５０はファインダ外表示部１０４の配色状態を第２の配色状態（表示対象が黒、背景が白）に変更し、照明部２２２を点灯したままにする。すなわち、システム制御部５０はファインダ外表示部１０４を図３（ｂ）から図３（ｃ）に示す状態に切替える。
一方、Ｓ５０６からＳ５０５に進んだ場合には、システム制御部５０はファインダ外表示部１０４の配色状態を第２の配色状態に変更することなく、第１の配色状態（表示対象が白、背景が黒）のまま、照明部２２２を消灯するように制御する。すなわち、システム制御部５０はファインダ外表示部１０４を図３（ｂ）から図３（ａ）に示す状態に切替える。このように、暗所撮影モードまたは暗所表示モードの何れかに設定されている場合に、配色状態が第２の配色状態で、照明部２２２を点灯させる状態に切替えないように制御する。仮に、暗所撮影モードまたは暗所表示モードを設定されている場合に配色状態を第２の配色状態、かつ、照明部２２２を点灯させる状態に切替えると、ユーザがファインダ外表示部１０４を視認することで暗所順応が解けてしまう可能性がある。すなわち、暗所撮影モードまたは暗所表示モードを設定されている場合には、ユーザは既に暗所順応していると想定し、配色状態が第２の配色状態で、照明部２２２を点灯させる状態に切替えないようにすることで、ファインダ外表示部１０４の視認性を向上させる。
【００４８】
Ｓ５０８では、システム制御部５０は照明ボタン２２８ａの操作（押下）が解除されたか否かを判定する。システム制御部５０は照明ボタン２２８ａの押下が終了した場合に、照明ボタン２２８ａの操作が解除されたと判定する。照明ボタン２２８ａの操作が解除された場合には図５のフローチャートの処理を終了する。照明ボタン２２８ａの操作が解除されていない場合には、照明ボタン２２８ａの操作が解除されるのを待機する。
【００４９】
このように、本実施形態では、暗所に特化したモードが設定されている場合には、第１の配色状態で、かつ、照明部２２２が点灯している状態で、照明ボタン２２８ａが操作されたとしても、第２の配色状態に変更しないようにする。このように、暗所に特化したモードが設定されている場合には、ユーザは暗所順応していると想定され、配色状態が第２の配色状態で、照明部２２２を点灯させる状態に切替えないことで、ファインダ外表示部１０４の視認性を向上させることができる。
【００５０】
なお、本実施形態では、暗所撮影モードまたは暗所表示モードの何れかに設定されている場合に配色状態が第２の配色状態で、照明部２２２を点灯させる状態に切替えないようにする場合について説明したが、この場合に限られない。
例えば、長時間露光撮影モードが設定されている場合には、システム制御部５０は暗所撮影モードに設定されている場合と同様に処理することができる。すなわち、システム制御部５０は長時間露光撮影モードを暗所撮影モードの一つとして処理する。
また、例えば、カメラ１００に外光検知手段としての外光検知センサを備え、システム制御部５０は外光検知センサにより検知された外光の情報に基づいて、配色状態が第２の配色状態で、照明部２２２を点灯させる状態に切替えないようにしてもよい。具体的には、Ｓ５０６において、システム制御部５０は外光が暗所と判定される閾値よりも暗い場合、Ｓ５０７に進まずにＳ５０５に進むように制御することができる。このとき、システム制御部５０は外光が暗所と判定される閾値よりも暗い場合に加えて、一定時間が継続した場合にＳ５０７に進まずにＳ５０５に進むように制御してもよい。
【００５１】
また、本実施形態を第１の実施形態に適用してもよい。具体的には、図４のフローチャートにおけるＳ４０６とＳ４０７との間に、システム制御部５０が暗所撮影モードまたは暗所表示モードの何れかに設定されているか否かを判定する処理（Ｓ５０６）を追加する。この場合、暗所撮影モードおよび暗所表示モードの何れにも設定されていない場合にはＳ４０７に進む。一方、暗所撮影モードまたは暗所表示モードの何れかに設定されている場合にはＳ４０７の処理をスキップしてＳ４０８に進む。すなわち、システム制御部５０は配色状態が第１の配色状態（表示対象が白、背景が黒）であって、照明部２２２が点灯している照明状態のままにする。ただし、この場合に限られず、暗所撮影モードまたは暗所表示モードの何れかに設定されている場合にはＳ４０５に進むようにしてもよい。
【００５２】
同様に、図４のフローチャートにおけるＳ４１３とＳ４１４との間に、システム制御部５０が暗所撮影モードまたは暗所表示モードの何れかに設定されているか否かを判定する処理（Ｓ５０６）を追加する。暗所撮影モードおよび暗所表示モードの何れにも設定されていない場合にはＳ４１４に進む。一方、暗所撮影モードまたは暗所表示モードの何れかに設定されている場合にはＳ４１４の処理をスキップしてＳ４１５に進む。すなわち、システム制御部５０は配色状態が第１の配色状態（表示対象が白、背景が黒）であって、照明部２２２が点灯している照明状態のままにする。ただし、この場合に限られず、暗所撮影モードまたは暗所表示モードの何れかに設定されている場合にはＳ４０５に進むようにしてもよい。
【００５３】
また、第１の実施形態および第２の実施形態において、照明部２２２が点灯している状態でそれぞれのフローチャートの処理を終了した場合を想定する。この場合、システム制御部５０は、それぞれの状態（Ｓ４０７、Ｓ４１０、Ｓ４１４、Ｓ４１８、Ｓ５０３、Ｓ５０７）に切替えてから一定時間を経過することに応じて、第１の配色状態にすると共に照明部２２２を消灯するように制御する。このように処理するのは、一定時間があればユーザはファインダ外表示部１０４の表示対象を確認できるために、一定時間を経過した後はユーザがファインダ外表示部１０４の表示対象を確認することは少ないと想定されるためである。
【００５４】
また、第１の実施形態および第２の実施形態において、それぞれのフローチャートの処理を終了してから、システム制御部５０はユーザがシャッターボタン１０１で撮影指示をした場合を想定する。この場合、システム制御部５０は照明部２２２を消灯すると共に、ファインダ外表示部１０４の表示自体を非表示に制御する。このように処理するのは、撮影指示がされた後は、ユーザがファインダ外表示部１０４の表示対象を確認することは少ないと想定されるためである。
ただし、システム制御部５０は長時間露光撮影モードが設定されている場合にはユーザがシャッターボタン１０１で撮影指示をした場合であっても、ファインダ外表示部１０４を非表示にしないように制御する。具体的には、システム制御部５０は第１の配色状態で照明部２２２を点灯または消灯した状態にするように制御する。このように処理するのは、長時間露光撮影モードでは長時間に亘って撮影するために、ユーザがファインダ外表示部１０４の表示対象を確認することがあるためである。
【００５５】
以上のように、本発明をその好適な実施形態に基づいて詳述してきたが、本発明はこれら特定の実施形態に限られるものではなく、この発明の要旨を逸脱しない範囲の様々な形態も本発明に含まれる。また、上述した各実施形態は本発明の一実施形態を示すものにすぎず適宜、変更したり、各実施形態を組み合わせたりしてもよい。
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００５６】
また、上述した実施形態においては、本発明をデジタルカメラに適用した場合を例にして説明したが、この場合に限られず、表示手段と、表示手段を照明する照明手段とを有する電子機器であれば適用可能である。すなわち、本発明は、パーソナルコンピュータ、ＰＤＡ、携帯電話端末、携帯型の画像ビューワ、ディスプレイを備えるプリンタ装置、デジタルフォトフレーム、音楽プレーヤー、ゲーム機、電子ブックリーダ等に適用可能である。また、本発明は、投影装置、ディスプレイを備える家電装置や車載装置等に適用可能である。
【００５７】
（他の実施形態）
本発明は、以下の処理を実行することによっても実現される。すなわち、上述した実施形態の機能を実現するプログラムをネットワークまたは各種記憶媒体を介してシステム或いは装置に供給し、そのシステム或いは装置のコンピュータ（又はＣＰＵやＭＰＵ等）がプログラムコードを読み出して実行する処理である。この場合、そのプログラムおよび該プログラムを記録した記録媒体は本発明を構成する。
【符号の説明】
【００５８】
５０：システム制御部  １００：デジタルカメラ  １０１：シャッターボタン  １０３：モード切替ボタン  １０４：ファインダ外表示部  １０５：表示部  ２１３：撮像部  ２１６：画像処理部  ２２１：ファインダ外表示駆動回路  ２２２：照明部  ２２８ａ：照明ボタン  ２２３：不揮発性メモリ  ２４０：記録媒体
【図１】
2019124805.tif 000003
【図２】
2019124805.tif 000004
【図３】
2019124805.tif 000005
【図４】
2019124805.tif 000006
【図５】
2019124805.tif 000007